【事件の表示】
　特許第２９３０９３６号「伸縮機構」の請求項１〜８に係る特許に対する特許異議の申立てについて、次のとおり決定する。
【結　論】
　訂正を認める。
　特許第２９３０９３６号の請求項１〜６に係る特許を維持する。
【理　由】
Ｉ．手続の経緯
　特許第２９３０９３６号の請求項１〜８に係る発明は、平成１０年５月６日に特許出願され、平成１１年５月２１日にその特許権の設定登録がなされ、その後、その特許について、異議申立人・荒井　純子より特許異議の申立てがなされ、取消理由通知がなされ、その指定期間内である平成１２年７月３１日に訂正請求がなされたものである。
　
II．訂正の適否についての判断
１．訂正の内容
（１）訂正事項ａ
　特許明細書の特許請求の範囲の請求項１〜８を下記のとおりに訂正する。
　　【請求項１】　一方のスライダと、このスライダに対して伸縮自在に組み合わされる他方のスライダと、これら双方のスライダを伸び方向又は縮み方向の何れかのスライド方向へ付勢して相対的にスライドさせる付勢手段と、を備えてなり、
　前記一方のスライダにはその長手方向に沿って凹状の伸縮路を設け、前記他方のスライダには凹状の該伸縮路に係入される爪部を有する係止部材が取り付けてあり、
　さらに前記伸縮路は、前記爪部と係止して双方のスライダの相対的なスライドを停止させる係止部、この係止部から前記スライド方向と逆方向へ伸設した係止解除路、この係止解除路の終端から前記スライド方向へ伸設され双方のスライダに相対的なスライド長を与えるスライド路の順からなる半ハート形の道程形状を複数連続させた１本溝として設けてある連続多段スライド式の伸縮機構。
　　【請求項２】伸縮路には、一方のスライダと他方のスライダの組み合わせが最短となる係止部と最長となる係止部とを接続したバイパス路が凹形成されている請求項１に記載の伸縮機構。
　　【請求項３】伸縮路は、少なくとも係止部か、係止解除路がスライド路と交差する曲折部の何れかにおいて、移動する爪部が当接してその移動方向を特定方向へ導くガイド手段を有する請求項１又は請求項２に記載の伸縮機構。
　　【請求項４】ガイド手段は、少なくとも係止部手前の係入側の路面かスライド路への入り側手前の路面の何れかに形成した段部である請求項３に記載の伸縮機構。
　　【請求項５】　係止部材は、一端に爪部を有し、該爪部が伸縮路の道程形状に合わせて振り子運動をなすようにその他端が他方のスライダに軸支してある棒材である請求項１〜請求項４の何れか１項に記載の伸縮機構。
　　【請求項６】通気装置本体に対し開閉蓋が前進した開位置で通気路を形成し、該開閉蓋が後退した閉位置で通気路を閉塞する通気装置において、開閉蓋の進退機構として請求項１〜請求項５何れか１項に記載の伸縮機構を利用し、一方のスライダと他方のスライダをそれぞれ通気装置本体か開閉蓋の何れかに取り付けて、該開閉蓋が通気装置本体に対して段階的に開閉することを特徴とする通気装置。
（２）訂正事項ｂ
　特許明細書の段落【０００４】を
「【０００４】
  　【課題を解決するための手段】
　このような目的を達成する本発明による連続多段スライド式の伸縮機構は、一方のスライダと、このスライダに伸縮自在に組み合わされる他方のスライダと、これら双方のスライダを伸び方向又は縮み方向の何れかのスライド方向へ付勢して相対的にスライドさせる付勢手段と、を備えてなり、前記一方のスライダにはその長手方向で凹状の伸縮路を設け、前記他方のスライダには凹状の該伸縮路に係入される爪部を有する係止部材を取り付けてあり、さらに前記伸縮路には、前記爪部と係止して双方のスライダのスライドを停止させる係止部と、この係止部から前記スライド方向と逆方向へ伸設した係止解除路と、この係止解除路の終端から前記スライド方向へ伸設され双方のスライダに相対的なスライド長を与えるスライド路と、が形成されている。」と訂正する。
（３）訂正事項ｃ
　特許明細書の段落【０００７】を
「【０００７】
　そして、この伸縮機構の伸縮路は、一方のスライダと他方のスライダの組み合わせが最短となる状態を形成する係止部と、これに続く係止解除路、スライド路を伸縮路に形成し、さらにこのスライド路の終端に続けて他の係止部、係止解除路、スライド路の組み合わせを任意数連ねてある。この伸縮機構によれば、上述の作用効果に加え、付勢を受けて双方のスライダがスライドする際に、爪部を、スライド方向で複数形成されている各係止部に対して順次係止させていくことができるため、伸縮程度を段階的に調整可能な伸縮機構とすることができる。」と訂正する。
　
２．訂正の目的の適否、新規事項の追加の有無及び拡張・変更の存否
（１）上記訂正事項ａに係る訂正は、特許明細書の特許請求の範囲の請求項１に記載された発明を特定する事項を、更に限定するものであることから、特許請求の範囲の減縮を目的とする訂正に該当するものである。また、この訂正は、特許明細書の訂正前の請求項である【請求項２】、【請求項３】及び図１、２、５〜８に記載された事項に基づくものであって、願書に添付した明細書又は図面に記載した事項の範囲内でした訂正であり、実質上特許請求の範囲を拡張し又は変更するものでもない。
　また、訂正後の【請求項２】乃至【請求項６】は、訂正前の【請求項２】及び【請求項３】の事項を訂正後の【請求項１】に包含させることにともなつて、訂正前の【請求項４】乃至【請求項８】を整理するために、請求項に付す番号を繰り上げるとともに従属する請求項の表示を明りょうにしたものであり、明りょうでない記載の釈明を目的とする訂正に該当するものである。また、これらの訂正は、願書に添付した明細書又は図面に記載した事項の範囲内でした訂正であり、実質上特許請求の範囲を拡張し又は変更するものでもない。
（２）上記訂正事項ｂ、ｃに係る訂正は、上記訂正事項ａのように訂正したことに伴い、特許請求の範囲の記載と発明の詳細な説明の欄の記載との整合を図るためのものであるから、明りょうでない記載の釈明を目的とする訂正に該当するものである。また、これらの訂正は、願書に添付した明細書又は図面に記載した事項の範囲内でした訂正であり、実質上特許請求の範囲を拡張し又は変更するものでもない。
　
（３）むすび
　以上のとおりであるから、上記訂正は、特許法１２０条の４第２項及び同条第３項で準用する特許法第１２６条第２項から第４項の規定に適合するので、当該訂正を認める。
　
III．特許異議の申立について
　
１．本件発明
　前示のとおり本件訂正請求が認められたことにより、本件請求項１〜６に係る発明（以下、「本件発明１〜本件発明６」という。）は、上記訂正事項ａに示す下記のとおりのものである。
 　　【請求項１】　一方のスライダと、このスライダに対して伸縮自在に組み合わされる他方のスライダと、これら双方のスライダを伸び方向又は縮み方向の何れかのスライド方向へ付勢して相対的にスライドさせる付勢手段と、を備えてなり、
　前記一方のスライダにはその長手方向に沿って凹状の伸縮路を設け、前記他方のスライダには凹状の該伸縮路に係入される爪部を有する係止部材が取り付けてあり、
　さらに前記伸縮路は、前記爪部と係止して双方のスライダの相対的なスライドを停止させる係止部、この係止部から前記スライド方向と逆方向へ伸設した係止解除路、この係止解除路の終端から前記スライド方向へ伸設され双方のスライダに相対的なスライド長を与えるスライド路の順からなる半ハート形の道程形状を複数連続させた１本溝として設けてある連続多段スライド式の伸縮機構。
　　【請求項２】伸縮路には、一方のスライダと他方のスライダの組み合わせが最短となる係止部と最長となる係止部とを接続したバイパス路が凹形成されている請求項１に記載の伸縮機構。
　　【請求項３】伸縮路は、少なくとも係止部か、係止解除路がスライド路と交差する曲折部の何れかにおいて、移動する爪部が当接してその移動方向を特定方向へ導くガイド手段を有する請求項１又は請求項２に記載の伸縮機構。
　　【請求項４】ガイド手段は、少なくとも係止部手前の係入側の路面かスライド路への入り側手前の路面の何れかに形成した段部である請求項３に記載の伸縮機構。
　　【請求項５】　係止部材は、一端に爪部を有し、該爪部が伸縮路の道程形状に合わせて振り子運動をなすようにその他端が他方のスライダに軸支してある棒材である請求項１〜請求項４の何れか１項に記載の伸縮機構。
　　【請求項６】通気装置本体に対し開閉蓋が前進した開位置で通気路を形成し、該開閉蓋が後退した閉位置で通気路を閉塞する通気装置において、開閉蓋の進退機構として請求項１〜請求項５何れか１項に記載の伸縮機構を利用し、一方のスライダと他方のスライダをそれぞれ通気装置本体か開閉蓋の何れかに取り付けて、該開閉蓋が通気装置本体に対して段階的に開閉することを特徴とする通気装置。
　
２．引用刊行物に記載された発明
　当審で通知した取消理由で引用した刊行物は下記に示すとおりのものである。
  刊行物１（甲第６号証）：実公平７−４５３８８号公報
  刊行物２（甲第７号証）：実願平１−７２４５３号（実開平３−１２３７４号）のマイクロフィルム
　刊行物３（甲第１号証）：実公平２−４４４８９号公報
  刊行物４（甲第２号証）：実公平３−８７７４号公報
  刊行物５（甲第３号証）：実公平３−１５７３７号公報
  刊行物６（甲第４号証）：実公平４−８２１４号公報
  刊行物７（甲第５号証）：実公昭５３−３７９９９号公報
　上記刊行物１には、公報３頁６欄１０行〜４９行に、「また、傘入本体１６内の後部側には筒体２１，２２，１８に跨る有底の筒状ピストン４８が筒状傘支持部材として軸線方向に摺動可能に嵌挿されている。この筒状ピストン４８は、傘出入口２８側端部が開口し、端壁１８ａ（後端）側が壁部５０で閉成されている。これにより、筒状ピストン４８の壁部５０と筒体１８の端壁１８ａとの間にはエア室５４が形成されている。第２図中、５５は複数のオリフィス４７の一つに嵌着されたゴム栓で、このゴム栓５５はオリフィス４７からエア室５４の内外に流出入するエアの量を調整する役目を果たしている。
　筒状ピストン４８外周面の上端部には長手方向に延びる幅広の上ガイド突条５６が形成されていて、この上ガイド突条５６は、第４図，第５図から明らかなように、上部溝３０，３１，３２から構成される上ガイド溝の長手方向に摺動自在に且つ筒体１８の周方向に回動不能に、上部溝３０，３１，３２から構成される上ガイド溝内に嵌合されている。この上ガイド突条５６と筒体２２との間には多段ロック装置５７が介装されている。この多段ロック装置５７は、上ガイド突条５６に設けた多段ハートカム５８と略Ｕ字状の係合ピン５９（係止部材）と、係合ピン５９の抜け外れを防止すると共に、係合ピン５９をハートカム５８側に押圧するゴムリング６０から構成されている。
　多段ハートカム５８は、第９図〜第１３図に示した様に、直列に等ピッチで軸線方向に配列されたハート形凸部６１と、このハート形凸部６１の周囲に形成されたカム溝６２から構成されている。このカム溝６２は、ハート形凸部６１列の一側に沿って形成された復帰用のカム溝部６３と、ハート形凸部６１列の他側に沿って形成された戻り防止用のカム溝部６４と、カム溝６３，６４間に連設された交差カム溝部６５を備えている。」と記載されており、
　また、同４頁７欄２１行〜２３行には、「また、この様な筒状ピストン４８の壁部５０と筒体１８の端壁１８ａとの間には復帰用のコイルスプリング４５が介装されている。」と記載されており、
　また、同４頁７欄４５行〜４９行には、「この際、係合軸部５９ｂの先端部は、カム溝部６４の複数の段部６６のうちの最も近いものに係合して、この係合された段部６６に対応する交差カム溝部６５に案内された後に、段部６８を越え、ハート形凸部６１の後部Ｖ溝６１ａに係合して停止する。」と記載されており、
　そして、同頁８欄１４行〜２７行には、「一方、傘入本体１６内から雨傘を取り出すには、雨傘を再度、傘入本体１６内に押し込めば良い。この押込動作により、筒状ピストン４８が壁部５０側に押圧され、係合軸部５９ｂの先端部が段部６８とハート形凸部６１の先端部の作用によりカム溝部６４側には戻らず復帰用のカム溝部６３内に案内される。このための雨傘の押込量は少しで良いので、雨傘を若干押し込んで係合軸部５９ｂの先端部をカム溝部６３内に案内した後、雨傘から押圧力を除くと、筒状ピストン４８はコイルスプリング４５のバネ力で傘出入口２８側に変位させられる。この際、係合軸部５９ｂの先端部は、カム溝部６３内を段部６７側に変位して、段部６７を越えたのちに、カム溝部６４に連設された溝部６４ａ先端部で停止する。これにより、雨傘の柄が傘出入口２８から若干突出するので、雨傘の取り出しが容易となる。」と記載されている。
　
　以上の記載事項並びに明細書及び図面の全記載からみて、刊行物１には、以下の発明が記載されているものと認めることができる。
　
「筒状ピストンと、この筒状ピストンに対して伸縮自在に組み合わされる筒体と、筒状ピストン、筒体を伸び方向又は縮み方向の何れかの摺動方向へ付勢して相対的に摺動させるコイルスプリングと、を備えてなり、
　前記筒状ピストンにはその長手方向に沿って凹状のカム溝を設け、前記筒体には凹状の該カム溝に係入される係合軸部の先端部を有する係合ピンが取り付けてあり、
　さらに前記カム溝は、前記係合軸部の先端部と係止して筒状ピストン、筒体の相対的な伸縮を停止させる後部Ｖ溝、この後部Ｖ溝から前記伸縮方向へ伸設した交叉カム溝からなる半ハート形の道程形状を複数連続させてある連続多段スライド式の伸縮機構。」
　
　上記刊行物２には、実用新案登録請求の範囲の請求項１に、「開口部を有するハウジングと、このハウジング内に保持され、ハウジングの開口部から出入するインナーケースと、このインナーケースをハウジングの開口部から繰出す方向に付勢する付勢手段と、この付勢手段の付勢力に抗してインナーケースをハウジング内の格納位置にロックする解除機構を備えたロック手段と、前記付勢手段の付勢力を減衰する制動手段を備え、
　上記ロック手段は、前記ハウジングとインナーケースのいずれか一方に設けたロックピンと、他方に設けたロックピンがトレースするカム溝から構成し、
　上記カム溝は、インナーケースの格納位置において、ロックピンの移動を阻止する格納停止部と、インナーケースの最大繰出し位置にロックピンを導く案内部と、上記格納停止部と案内部の間に位置し、インナーケースの格納位置と最大繰出し位置の間に位置する中間繰出し位置において、ロックピンの移動を阻止する中間停止部を有するインナーケースの繰出し装置において　、上記カム溝は、前記格納停止部に連続し、インナーケースを格納位置から少し押込むことで、ロックピンを格納停止部から釈放する行止りの第１釈放路と、この第１釈放路に連続し、インナーケースの押込み力を開放することで、ロックピンを前記中間停止部に導く誘導路と、前記中間停止部に連続し、インナーケースを中間繰出し位置から少し押し込むことで、ロックピンを中間停止部から釈放する第２釈放路と、この第２釈放路に連続し、インナーケースをハウジング内の格納位置に向かって押込むことで、ロックピンを格納停止部に導く行止りの終端部、及びインナーケースの押込み力を途中で釈放することで、ロックピンを前記案内部に導く該案内部に向かって解放した解放端部を有する往復共用路と、前記誘導路から分岐し、インナーケースを再度、押込むことで、ロックピンを、中間停止部を通過させることなく案内部に導く脱出路と、前記案内部から脱出路に逆進したロックピンを誘導路に導く第１交叉路と、この第１交叉路を通って誘導路を逆進するロックピンを往復共用路に導く第２交叉路を備えたことを特徴とするインナーケースの繰出し装置。」と記載されている。　
　上記刊行物３〜刊行物７には、本件発明の「一方のスライダと、このスライダに対して伸縮自在に組み合わされる他方のスライダと、これら双方のスライダを伸び方向又は縮み方向の何れかのスライド方向へ付勢して相対的にスライドさせる付勢手段と、を備えてなり、
　前記一方のスライダにはその長手方向に沿って凹状の伸縮路を設け、前記他方のスライダには凹状の該伸縮路に係入される爪部を有する係止部材が取り付けてあり、
　さらに前記伸縮路は、前記爪部と係止して双方のスライダの相対的なスライドを停止させる係止部、この係止部から前記スライド方向と逆方向へ伸設した係止解除路を設けたスライド式の伸縮機構。」に相当する構成で、１段階を伸縮するスライド式の伸縮機構が記載されているものと認められる。
　
３．対比・判断　
　本件発明１と刊行物１に記載された発明を比較すると、刊行物１に記載された「筒状ピストン」は本件発明１の「一方のスライダ」に、以下同様に、「筒体」は「他方のシリンダ」に、「摺動」は「スライド」に、「コイルスプリング」は「付勢手段」に、「カム溝」は「伸縮路」に、「係合軸部の先端部」は「爪部」に、「係合ピン」は「係止部材」に、「後部Ｖ溝」は「係止部」に、「交叉カム溝部」は「係止解除路」にそれぞれ相当するから、　　両者は、「一方のスライダと、このスライダに対して伸縮自在に組み合わされる他方のスライダと、これら双方のスライダを伸び方向又は縮み方向の何れかのスライド方向へ付勢して相対的にスライドさせる付勢手段と、を備えてなり、
　前記一方のスライダにはその長手方向に沿って凹状の伸縮路を設け、前記他方のスライダには凹状の該伸縮路に係入される爪部を有する係止部材が取り付けてあり、
　さらに前記伸縮路は、前記爪部と係止して双方のスライダの相対的なスライドを停止させる係止部、この係止部から伸設した係止解除路の順からなる半ハート形の道程形状を複数連続させてある連続多段スライド式の伸縮機構。」の点で一致し、以下の点で相違するものと認められる。
［相違点］
　本件発明１では、伸張路は、スライド方向と逆方向へ伸設している係止解除路の終端から前記スライド方向へ伸設され双方のスライダに相対的なスライド長を与えるスライド路の順からなる半ハート形の道程形状を複数連続させた１本溝として設けてあるのに対して、刊行物１に記載された発明は、伸張路は、係止解除路の終端から前記スライド方向へ伸設され双方のスライダに相対的なスライド長を与えるスライド路が存在せず、復帰用カム溝を含むので連続した平行する２本の溝を設けている点。
　以下相違点について検討する。
　刊行物２に記載された発明では、平行する２本の溝以上の誘導路を使用したもので、格納位置から中間繰出し位置への操作または中間繰出し位置から格納位置への操作では、伸張を行うためには、係止部からスライド方向と逆方向へ伸設している係止解除路を経て、その終端からスライド路を経て次の係止部に至ることが可能であり、一部上記相違点に係る本件発明１の構成要件を含むが、中間繰出し位置から最大繰出し位置への操作または最大繰出し位置から中間繰出し位置への操作では、係止部からスライド方向と逆方向へ伸設している係止解除路を経て、次の係止部に至る様にするためには、押し操作の途中で操作する手を離すことが必要であり、押し操作が不可能となるまで押し続けると格納位置に戻ってしまう。従って、連続多段の開き操作、連続多段の閉じ操作（格納位置−中間繰出し位置−最大繰出し位置）では押し操作の途中で操作する手を離すことが不可欠であり、この誘導路の構成を刊行物１の発明の伸張路に適用し、ただちに、本件発明１に示す構成とすることはできない。
　また、刊行物３〜７に記載された発明には、１段階を伸縮するスライド式の伸縮機構が記載されているのみであり、上記相違点に示す構成を有しない。
　そして、前記相違点を有するため、本件発明１においては、連続多段の伸張を行うためには、係止部からスライド方向と逆方向へ伸設している係止解除路を経て、その終端から前記スライド方向へ伸設され双方のスライダに相対的なスライド長を与えるスライド路を経て次の係止部に至り、この伸張路は、半ハート形の道程形状を複数連続させた１本溝で構成されているので、この工程を繰返すことにより多段の伸張を行うことができるものである。しかしながら、刊行物１に記載された発明では、連続多段の伸張を行うためには、係止部から、段部６８のため、復帰用カム溝部方向へ伸設している係止解除路を経て、その終端からスライド路とは別の復帰用カム溝部を経て一度最初の位置に帰り、そこから再度スライド路を経て次の係止部に至り多段の伸張を行うようにしたものである。
　したがつて、本件発明１は、係止部、係止解除路の終端の押し引き不可能となることを操作の目安として、ワンタッチ操作を行うだけで連続多段スライド可能になる等の明細書記載の作用効果を奏するものであるので、本件発明１は、前記刊行物１〜７に記載された発明と同一とは認められないばかりでなく、前記刊行物１〜７に記載された発明に基いて当業者が容易に発明することができたものとも認められない。
　また、本件発明２〜本件発明６は、いずれも本件発明１に係る構成を具備しさらに構成を付加したものであるから、本件発明１と同様の理由により、前記刊行物１〜７に記載された発明と同一とは認められないばかりでなく、前記刊行物１〜７に記載された発明に基いて当業者が容易に発明することができたものとも認められない。
　
４．むすび
　以上のとおりであるから、
　特許異議申立の理由及び証拠によつては、本件発明１〜６の特許を取り消すことはできない。
　また、他に本件発明１〜６の特許を取り消すべき理由を発見しない。
　よつて、結論のとおり決定する。
【異議決定日】
平成１２年１２月８日（２０００．１２．８）
【訂正の要旨】
（１）訂正事項ａ
　特許明細書の特許請求の範囲の【請求項１】を、特許請求の範囲の減縮を目的として、また訂正前の【請求項２】及び【請求項３】の事項を訂正後の【請求項１】に包含させることにともなって、請求項に付す番号を繰り上げるとともに従属する請求項の表示を明りょうにすべく、明りょうでない記載の釈明を目的として、請求項１〜８を下記のとおりに訂正する。
　　【請求項１】　一方のスライダと、このスライダに対して伸縮自在に組み合わされる他方のスライダと、これら双方のスライダを伸び方向又は縮み方向の何れかのスライド方向へ付勢して相対的にスライドさせる付勢手段と、を備えてなり、
　前記一方のスライダにはその長手方向に沿って凹状の伸縮路を設け、前記他方のスライダには凹状の該伸縮路に係入される爪部を有する係止部材が取り付けてあり、
　さらに前記伸縮路は、前記爪部と係止して双方のスライダの相対的なスライドを停止させる係止部、この係止部から前記スライド方向と逆方向へ伸設した係止解除路、この係止解除路の終端から前記スライド方向へ伸設され双方のスライダに相対的なスライド長を与えるスライド路の順からなる半ハート形の道程形状を複数連続させた１本溝として設けてある連続多段スライド式の伸縮機構。
　　【請求項２】伸縮路には、一方のスライダと他方のスライダの組み合わせが最短となる係止部と最長となる係止部とを接続したバイパス路が凹形成されている請求項１に記載の伸縮機構。
　　【請求項３】伸縮路は、少なくとも係止部か、係止解除路がスライド路と交差する曲折部の何れかにおいて、移動する爪部が当接してその移動方向を特定方向へ導くガイド手段を有する請求項１又は請求項２に記載の伸縮機構。
　　【請求項４】ガイド手段は、少なくとも係止部手前の係入側の路面かスライド路への入り側手前の路面の何れかに形成した段部である請求項３に記載の伸縮機構。
　　【請求項５】　係止部材は、一端に爪部を有し、該爪部が伸縮路の道程形状に合わせて振り子運動をなすようにその他端が他方のスライダに軸支してある棒材である請求項１〜請求項４の何れか１項に記載の伸縮機構。
　　【請求項６】通気装置本体に対し開閉蓋が前進した開位置で通気路を形成し、該開閉蓋が後退した閉位置で通気路を閉塞する通気装置において、開閉蓋の進退機構として請求項１〜請求項５何れか１項に記載の伸縮機構を利用し、一方のスライダと他方のスライダをそれぞれ通気装置本体か開閉蓋の何れかに取り付けて、該開閉蓋が通気装置本体に対して段階的に開閉することを特徴とする通気装置。
（２）訂正事項ｂ
　明りょうでない記載の釈明を目的として、特許明細書の段落【０００４】を
「【０００４】
　　【課題を解決するための手段】
　このような目的を達成する本発明による連続多段スライド式の伸縮機構は、一方のスライダと、このスライダに伸縮自在に組み合わされる他方のスライダと、これら双方のスライダを伸び方向又は縮み方向の何れかのスライド方向へ付勢して相対的にスライドさせる付勢手段と、を備えてなり、前記一方のスライダにはその長手方向で凹状の伸縮路を設け、前記他方のスライダには凹状の該伸縮路に係入される爪部を有する係止部材を取り付けてあり、さらに前記伸縮路には、前記爪部と係止して双方のスライダのスライドを停止させる係止部と、この係止部から前記スライド方向と逆方向へ伸設した係止解除路と、この係止解除路の終端から前記スライド方向へ伸設され双方のスライダに相対的なスライド長を与えるスライド路と、が形成されている。」と訂正する。
（３）訂正事項ｃ
　明りょうでない記載の釈明を目的として、特許明細書の段落【０００７】を
「【０００７】
　そして、この伸縮機構の伸縮路は、一方のスライダと他方のスライダの組み合わせが最短となる状態を形成する係止部と、これに続く係止解除路、スライド路を伸縮路に形成し、さらにこのスライド路の終端に続けて他の係止部、係止解除路、スライド路の組み合わせを任意数連ねてある。この伸縮機構によれば、上述の作用効果に加え、付勢を受けて双方のスライダがスライドする際に、爪部を、スライド方向で複数形成されている各係止部に対して順次係止させていくことができるため、伸縮程度を段階的に調整可能な伸縮機構とすることができる。」と訂正する。
（５４）【発明の名称】
伸縮機構
（５７）【特許請求の範囲】
　　【請求項１】　一方のスライダと、このスライダに
対して
　前記一方のスライダにはその長手方向
に沿って
が
　さらに前記伸縮路は、前記爪部と係止して双方のスライダの
相対的な
部、
路、
の順からなる半ハート形の道程形状を複数連続させた１本溝として設けてある連続多段スライド式の
　　【請求項２】　伸縮路には、一方のスライダと他方のスライダの組み合わせが最短となる係止部と最長となる係止部とを接続したバイパス路が凹形成されている請求項
１
　　【請求項３】　伸縮路は、少なくとも係止部か、係止解除路がスライド路と交差する曲折部の何れかにおいて、移動する爪部が当接してその移動方向を特定方向へ導くガイド手段を有する請求項１
又は
２に
　　【請求項４】　ガイド手段は、少なくとも係止部手前の係入側の路面かスライド路への入り側手前の路面の何れかに形成した段部である請求項
３
　　【請求項５】　係止部材は、一端に爪部を有し、該爪部が伸縮路の道程形状に合わせて振り子運動をなすようにその他端が他方のスライダに軸支してある棒材である請求項１〜請求項
４
　　【請求項６】　通気装置本体に対し開閉蓋が前進した開位置で通気路を形成し、該開閉蓋が後退した閉位置で通気路を閉塞する通気装置において、
　開閉蓋の進退機構として請求項１〜請求項
５
【発明の詳細な説明】
　　　　【０００１】
　　【発明の属する技術分野】
　本発明は、給気装置や換気装置などの通気装置に設けられる通気路形成用の開閉蓋の開閉調整機構などとして好適な伸縮装置に関する。
　　　　【０００２】
　　【従来の技術】
　自動車用シートのヘッドレストやスタンド形陳列用ハンガー掛けの支柱に用いる伸縮調整、給気装置や換気装置等の通気装置に設ける開閉部材の開閉程度の調整などに利用される従来の伸縮機構としては、実公昭６３−９７６２号公報や実開昭５８−１１３１２７号公報のようなものがある。即ち、これらの伸縮機構は、外側スライダに所定間隔で複数の係止凹部を配列し、該外側スライダへ組み込まれる内側スライダにストッパカムを設け、該ストッパカムの係止片が複数の係止凹部へ順次係入されることで段階的に外側スライダと内側スライダを伸長させ、またストッパカムを回転させて係止片の係止凹部への係止状態を解除することで、外側スライダと内側スライダを縮ませるようにしたものである。
　　　　【０００３】
　　【発明が解決しようとする課題】
　こうしたいわゆる『カム機構』を基本とする伸縮機構はストッパカムの回転動作を巧みに利用するものであるが、係止凹部へ係止片を係止させる場合と係止片を係止凹部から解除させる場合とでは異なる操作が要求され、また係止凹部へ係入される係止片の同期がうまくとれないと伸縮調整をし損じることもある。こうした従来技術に対して本発明はいわゆる『カム機構』を利用しない伸縮機構を提供するものであって、その目的は機構要素の構造やその動作がシンプルであり容易な操作で確実な伸縮動作を可能とする伸縮機構を提供することにある。
　　　　【０００４】
　　【課題を解決するための手段】
　このような目的を達成する本発明
による連続多段スライド式の
　　　　【０００５】
　この伸縮機構では、付勢手段による付勢を基に、一方のスライダに設けた伸縮路と他方のスライダに取り付けた係止部材とを利用してスライド伸縮を行う機構となっている。すなわち、伸縮路には係止部が形成されているので、付勢手段により伸び方向又は縮み方向の何れかのスライド方向へ付勢を受けてスライドする双方のスライダは、他方のスライダに取り付けた係止部材の爪部が該係止部に当接・係止することで、相対的なスライドを停止するようになっている。この停止状態から双方のスライダをスライドさせるには、まず、少なくとも何れかのスライダに前記スライド方向と逆方向へ操作を加えることで係止部に対する爪部の係止を解除する。つまり、付勢手段の付勢を受けた常態とされている何れかのスライダに対して、該付勢力に抗する反発力を加える操作を与える。この操作法としては、具体的には、双方のスライダが伸び方向で付勢されている場合には双方のスライダを縮ませるようにするプッシュ操作を、双方のスライダが縮み方向で付勢されている場合には双方のスライダを伸ばすようにするプル操作を与えることになる。このとき、伸縮路には係止部から前記スライド方向と逆の方向（つまり、スライド方向が伸び方向である場合「逆の方向」は縮み方向、一方スライド方向が縮み方向である場合「逆の方向」は伸び方向）へ係止解除路が伸設してあるから、付勢を受けて係止部に当接・係止していた爪部は、係止部から該係止解除路へと移動することになる。そして、この係止解除路の終端にはスライド方向へ伸設したスライド路が連続的に形成してあるから、爪部が係止解除路の終端に至ったことを確認した時点で、すなわち、プッシュ操作又はプル操作をしてもスライダが伸縮しない時点で、何れかのスライダに加えていた操作を止めると、双方のスライダは付勢手段による付勢を受けて相対的にスライド方向へスライドする。
　　　　【０００６】
　以上のように本発明の伸縮機構は、従来の『カム機構』のような回転動作を含む複雑なスライド機構でなく、付勢手段による付勢を基本として伸縮路の道程形状とその道程形状に合わせて従動し係止する係止部材とによるスライド機構を採用するから、双方のスライダが付勢手段による付勢を受ければ係止部材の爪部が必ず係止部に係止することができる。このように係止動作が確実であるから、信頼性の高い伸縮機構とすることができる。また、双方のスライダをスライド伸縮させるために必要な操作はプッシュ操作かプル操作の何れかであるから、操作性にも優れている。さらに伸縮路や爪部等の機構要素も構造がシンプルであるから、機構要素を構成する部材の成形が容易で、部品点数も少なくて済みコスト的にも有利である。
　　　　【０００７】
　
そして、この
路は、一
ある
の伸縮機構
上述の
、付
、
を、スライド方向で複数形成されている
対して
させていくことができるため、
　　　　【０００８】
　以上のような伸縮機構の伸縮路は、例えば、複数の半ハート形をスライド方向で配した道程形状とすると好ましい。
　　　　【０００９】
　これによれば、以上説明した本発明の作用効果に加えて、該伸縮路に係入したスライド路を通じる爪部の移動もスムースである。このように伸縮路の道程を半ハート形とした場合、半ハート形の始端若しくは終端又は半ハート形の屈曲部位が前記「係止部」に相当し、半ハート形の始端から屈曲部位に至る短曲辺と半ハート形の終端から屈曲部位に至る長曲辺がそれぞれ「係止解除路」か「スライド路」の何れかに相当することになる。また、上記「半ハート形」とは、本明細書において、全体として緩やかな湾曲をもつハート形を左右対称に縦割りした「半ハート形」に限られるものではなく、やじり形状或いは鋸歯状などハート形の屈曲部位をやや尖鋭にし全体的に直線的に構成したようなものも含むものである。
　　　　【００１０】
　前記伸縮機構の伸縮路には、一方のスライダと他方のスライダの組み合わせが最短となる係止部と最長となる係止部とを接続したバイパス路が凹形成されていると好ましい。
　　　　【００１１】
　この伸縮機構によれば、上記説明した本発明の各作用効果に加えて、一方のスライダと他方のスライダの組み合わせが最短となる係止部と該組み合わせが最長となる係止部とを接続した凹状のバイパス路を爪部が移動できるようになる。すなわち、例えば双方のスライダの組み合わせを最短の状態から最長の状態に段階的にスライド伸長させた後に縮み方向へ段階的にスライドさせなくても、一度のプッシュ操作又はプル操作で再び最短の状態に戻すことができ便利である。
　　　　【００１２】
　以上の伸縮機構の伸縮路には、少なくとも係止部か、係止解除路がスライド路と交差する曲折部の何れかにおいて、移動する爪部が当接してその移動方向を特定方向へ導くガイド手段を有すると好ましい。
　　　　【００１３】
　このようなガイド手段によれば、双方のスライダの伸縮に伴って伸縮路を従動ずる爪部はガイド手段により特定方向へ案内されるから、爪部が係止部や前記曲折部から離間するときに伸縮路を逆戻りすることがなく、誤動作防止に好適である。
　　　　【００１４】
　上記ガイド手段としては、例えば、少なくとも係止部手前の係入側の路面かスライド路への入り側手前の路面の何れかに形成した段部であると好ましい。
　　　　【００１５】
　この段部によれば、動作が確実になるという意味で伸縮機構の信頼性向上に有意であることに加えて、伸縮機構の操作性を向上させるという面でも優れた作用効果を発揮できて好適である。つまり、爪部は伸縮路の路面に形成された段部を通過する際に降下して「カチッ」という機械音を発するので、この機械音を聴取することで爪部が係止部へ係入したことを確認することができて便利である。しかも、係止部から爪部の係止を解除する時には爪部が段部の段差面に当接するので、爪部は確実に係止解除路へ導かれることになる。そして、スライド路への入り側手前の路面にも段部を形成しておけば、該段部を通過する際に爪部の降下により「カチッ」という機械音を発するから、爪部が係止解除路の終端に到達してスライド路へ進入したことを確認することができる。つまり、この機械音は、何れかのスライダに加えていたプッシュ操作又はプル操作を止めてもよいという操作量の「目安」になる。こうした段部の形成態様としては、伸縮路の路面を係止部等のやや手前から係止部の直前位置にかけて上向き傾斜面を形成し該直前位置で爪部を降下させるような段差を形成して段部としたものや、係止部等のやや手前で伸縮路の路面を陥没させるようにして段差を形成し、その下端から係止部等の直前位置にかけて上向き傾斜面を形成して段部としたものでもよい。あるいはこれらの双方を組み合わせて形成したような段部としてもよい。
　　　　【００１６】
　以上の伸縮機構の係止部材は、一端に爪部を有し、該爪部が伸縮路の道程形状に合わせて振り子運動をなすようにその他端が他方のスライダに軸支してある棒材であると好ましい。
　　　　【００１７】
　係止部材を他方のスライダに固定して取り付けると、例えば双方のスライダを円筒状としたような場合には、双方のスライダがスライド伸縮する際に爪部が伸縮路の道程形状に応じて移動するため、他方のスライダが一方のスライダに対して回転してしまう。こうした回転を伴うスライド伸縮が好ましくない場合、本発明の伸縮機構によれば係止部材が爪部の移動に伴って振り子運動をなすように他方のスライダに軸支してあるから、双方のスライダが相対的に回転しながらスライドすることがなく好都合である。
　　　　【００１８】
　そして、本発明は、通気装置本体に対し開閉蓋が前進した開位置で通気路を形成し、該開閉蓋が後退した閉位置で通気路を閉塞する通気装置について、開閉蓋の進退機構として以上の伸縮機構を利用する通気装置を提供する。すなわちこの通気装置は、一方のスライダと他方のスライダをそれぞれ通気装置本体か開閉蓋の何れかに取り付けて、該開閉蓋が通気装置本体に対して段階的に開閉することを特徴とする。
　　　　【００１９】
　この通気装置では開閉蓋の通気装置本体に対する開位置を段階的に調整して通気量を多様に調整できるようになっている。また、特に段部を形成した伸縮機構を利用すれば、爪部が該段部を通過する際に発する機械音を確認しつつ開閉蓋を操作できるので便利である。
　　　　【００２０】
　　【発明の実施の形態】
　以下、本発明による実施形態の一例について図面を参照しつつ説明する。
　　　　【００２１】
　図１で示す伸縮機構１は「一方のスライダ」としての可動スライダ２と「他方のスライダ」としての固定スライダ３を組み合わせ、可動スライダ２を「付勢手段」としてのコイルばね４でスライド方向、即ち伸び方向Ｘへ付勢して段階的にスライドさせるようになっている。なお、本例では説明の便宜上「一方のスライダ」を可動側のスライダとし「他方のスライダ」を固定側のスライダとして説明するが、この逆の場合であってもよいことは勿論である。
　　　　【００２２】
　可動スライダ２には凹状の伸縮路５が形成してある。一方、固定スライダ３には「係止部材」としての係止棒６が取り付けられている。係止棒６の一端は固定スライダ３の取り付け孔３ａで軸支され、他端を曲折してなる爪部６ａは伸縮路５に係入してある。したがって、係止棒６は軸支された一端を支点として他端の爪部６ａが伸縮路５の道程形状に応じて振り子運動をなすようになっている。また、係止棒６は固定スライダ３の内壁面３ｂと当接して伸縮路５から抜けないようになっている。
　　　　【００２３】
　コイルばね４は、その両端が可動スライダ２と固定スライダ３の壁面２ａ，３ｃによる反力を常に受けた状態で固定スライダ３のロッド３ｄに組み付けてあり、可動スライダ２を常時伸び方向Ｘへ付勢している。
　　　　【００２４】
　伸縮路５の一側は、３つの小さな半ハート形（図１では上下逆さに配してある）を伸び方向Ｘへ連ねたような道程形状としてある。そして、その他側には、爪部６ａの係止により双方のスライダ２，３の組合せの最短状態（図１（ａ）の状態）を形成する係止部７ａと該組合せの最長状態（図２（ｃ）の状態）を形成する係止部７ｄとに接続したバイパス路８が形成されている。
　　　　【００２５】
　係止部７ａと係止部７ｄの間には他の二つの係止部７ｂ，７ｃが設けてあり、これらの各係止部７ａ〜７ｄに係止棒６の爪部６ａが順次係止することでコイルばね４の付勢を受けて伸び方向Ｘヘスライドする可動スライダ２のスライドを段階的に停止させるようになっている。
　　　　【００２６】
　９ａ，９ｂ，９ｃは係止解除路で、係止部７ａ〜７ｄに対する爪部６ａの係止を解除すべく可動スライダ２に対してコイルばね４の付勢に反発する操作を縮み方向Ｙへ加えた際に、爪部６ａの逃げ道となるものである。
　　　　【００２７】
　１０ａ，１０ｂ，１０ｃはスライド路で、可動スライダ２がコイルばね４の付勢を受けて伸び方向Ｘヘスライドし、双方のスライダ２，３の組合せに相対的なスライド長を与えるための経路である。
　　　　【００２８】
　１１は「ガイド手段」としての段部で、この段部を形成した態様に応じて伸び方向Ｘ又は縮み方向Ｙの何れかの方向へのみ段階的にスライドする伸縮路とすることができる。本例の伸縮路５では爪部６ａが反時計回りで伸縮路５を辿るように段部１１を形成してあるので、可動スライダ２は伸び方向Ｘへ段階的にスライドするようになっている。
　　　　【００２９】
　次に、以上の構成とした伸縮機構の動作について説明する。
　　　　【００３０】
　可動スライダ２と固定スライダ３を最短状態（図１（ａ）参照）から伸び方向Ｘヘスライドさせるには、まず、可動スライダ２に縮み方向Ｙヘコイルばね４の付勢に対する反発力を加えるプッシュ操作をして、係止部７ａに対する爪部６ａの係止を解除する。このとき爪部６ａは段部１１の段差面に当接して係止解除路９ａへ移動する。そのままプッシュ操作を加え続けると「カチッ」という機械音が生じる。これは、係止解除路９ａの終端にある段部１１で爪部６ａが図３（ａ）のように降下して生じる音である。したがって、操作者としてはこの機械音を目安として、可動スライダ２にプッシュ操作を加えればよい。
　　　　【００３１】
　そして、爪部６ａが半ハート形の屈曲部位、つまり係止解除路９ａの終端であってスライド路１０ａの入り側に到達した状態（図２（ａ）の状態）で可動スライダ２に加える縮み方向Ｙへのプッシュ操作を止めると、可動スライダ２はコイルばね４の付勢を受けて伸び方向Ｘヘスライドする。このとき、爪部６ａが係止解除路９ａに戻ろうとしても段部１１の段差面によりスライド路１０ａを辿るように移動が規制されるので、爪部６ａは確実にスライド路１０ａを辿ることになる。こうして可動スライダ２が伸び方向Ｘヘスライドすると、爪部６ａは係止部７ｂの手前にある段部１１で再び降下して「カチッ」という機械音を発すると同時に係止部７ｂに係止する。これにより伸び方向Ｘに向かう可動スライダ２のスライドは停止する（図２（ｂ））。
　　　　【００３２】
　この状態から以上のような操作を繰り返し行うと、図２（ｃ）で示すように、爪部６ａが係止部７ｄで係止して双方のスライダ２，３が最長状態を呈することになる。この最長状態から最短状態へ戻すには、可動スライダ２を縮み方向Ｙヘプッシュ操作して爪部６ａをバイパス路８を通過させる。そして段部１１での「カチッ」という機械音を確認してからプッシュ操作を止めれば、コイルばね４の付勢を受けて爪部６ａが係止部７ａに係止し、双方のスライダ２，３が最短状態となる（図２（ａ））。
　　　　【００３３】
　上記実施形態では図３（ａ）で示すように上向き傾斜面１１ａの端部に段差１１ｂを形成して構成した段部１１を示したが、図３（ｂ）のように伸縮路の路面５ａよりも一段低くなるように段差１１ｂ´を形成しその下端から上向き傾斜面１１ａ´を形成して構成した段部１１´を伸縮路に形成したようなものでもよい。あるいは図３（ａ）と（ｂ）とを組み合わせたような段部としてもよい。
　　　　【００３４】
　また、上記実施形態では係止部から係止が解除される爪部の移動方向を規制するガイド手段として段部１１，１１´を縮路に形成した例を示したが、その他にも例えば図４のようなガイド手段を伸縮路に形成してもよい。即ち、爪部６ａの係止部７´とこれに対向位置する伸縮路５´の突壁１２は距離Ｄ１だけずらして形成してあるから、縮み方向Ｙへのプッシュ操作により係止点７´から離間する爪部６ａがスライド路１０´へ逆戻りしようとしても、突壁１２と当接して係止解除路９´へ案内される。そして、係止解除路９´がスライド路１０´と交差する曲折部１３に対向位置する伸縮路５´の突壁１４も曲折部１３に対して距離Ｄ２だけ係止解除路側９´にずらして形成してある。したがって、プッシュ操作を止めて伸び方向Ｘの係止解除路９´の方へ逆戻りしようとしても、爪部６ａは突壁１４と当接してスライド路１０´側へ導かれる。このようなガイド手段によっても爪部の移動方向は一方向へのみ確実に規制することができる。
　　　　【００３５】
　縮路の道程形状は、上記実施形態のような全体的に滑らかな湾曲をもつように形成したものだけでなく、例えば図５（ａ）（ｂ）で示すように、全体をやや鋭角的に形成したような伸縮路５´としてもよい。
　　　　【００３６】　
　上記実施形態では、「係止部材」として係止棒６を示したが、この他にも例えば、固定スライダの幅方向にあり溝を形成し該あり溝と該幅方向ヘスライド自在に係合する係止部材を、その爪部を伸縮路に係入させた状態で固定スライダに設けるようにした「係止部材」でもよい。これによれば、係止棒６と同様に、一方のスライダと他方のスライダの相対的なスライドに際して爪部が伸縮路形状に同期して左右に移動するから何れかのスライダが回転しながらスライドするようなことはない。
　　　　【００３７】
　また、上記実施形態では、プッシュ操作により伸び方向へ段階的にスライドするタイプの伸縮機構の一例を示したが、その他にも次のようなタイプの伸縮機構とすることも可能である。他のタイプの伸縮機構をモデル的に示すと図６〜図８のようになる。
　　　　【００３８】
　図６の伸縮機構１０ａ，１０ｂは上記実施形態による伸縮機構１と同様に、可動スライダ１１ａ，１１ｂが伸び方向Ｘで付勢手段（図示略）による付勢を受けており、縮み方向Ｙへのプッシュ操作で固定スライダ１２ａ，１２ｂに対し段階的にスライドさせるタイプである。この二つの伸縮機構１０ａ，１０ｂは係止部１３ａ，１３ｂが同じ位置にある点で共通するが、段部１４ａ，１４ｂの形成位置の相違から、係止解除路１５ａ，１５ｂとスライド路１６ａ，１６ｂの位置が異なっている。したがって、図６（ａ）は可動スライダ１１ａが縮み方向Ｙで段階的にスライドするタイプの伸縮機構であり、図６（ｂ）は可動スライダ１１ｂが伸び方向Ｘで段階的にスライドするタイプの伸縮機構となっている。
　　　　【００３９】
　図７の伸縮機構２０ａ，２０ｂ及び図８の伸縮機構３０ａ，３０ｂは、何れも、可動スライダ２１ａ，２１ｂ，３１ａ，３１ｂが縮み方向Ｙで付勢手段（図示略）による付勢を受けており、伸び方向Ｘへのプル操作で固定スライダ２２ａ，２２ｂ，３２ａ，３２ｂに対し段階的にスライドさせるタイプである。図７（ａ）（ｂ）の伸縮機構２０ａ，２０ｂはともに係止部２３ａ，２３ｂが同じ位置にある点で共通するが、段部２４ａ，２４ｂの形成位置の相違から、係止解除路２５ａ，２５ｂとスライド路２６ａ，２６ｂの位置が異なっている。したがって、図７（ａ）は可動スライダ２１ａが縮み方向Ｙで段階的にスライドするタイプの伸縮機構であり、図７（ｂ）は可動スライダ２１ｂが伸び方向Ｘで段階的にスライドするタイプの伸縮機構である。また、図８（ａ）（ｂ）の伸縮機構３０ａ，３０ｂはともに係止部３３ａ，３３ｂが同じ位置にある点で共通するが、段部３４ａ，３４ｂの形成位置の相違から、係止解除路３５ａ，３５ｂとスライド路３６ａ，３６ｂの位置が異なっている。したがって、図８（ａ）は可動スライダ３１ａが伸び方向Ｘで段階的にスライドするタイプの伸縮機構で、図８（ｂ）は可動スライダ３１ｂが縮み方向Ｙで段階的にスライドするタイプの伸縮機構である。
　　　　【００４０】
　上記実施形態による伸縮機構１（図１〜図３）は、段階的な伸縮機構を必要とする様々な装置に適用することができるが、その一例として給気用ないし換気用の通気装置に上記伸縮機構を適用した一例を示すと図９のようである。
　　　　【００４１】
　図９の通気装置４０は、伸縮装置４１の固定スライダ４２を装置本体４３の支持アーム４４で支持させ、可動スライダ４５を開閉蓋４６に取り付けて構成したものである。これによれば、図９（ａ）のような閉位置にある開閉蓋４６に対して閉方向Ｃヘプッシュ操作を加えると、開閉蓋４６は開方向Ｏヘコイルばねの付勢を受けてスライドして第１の開位置まで開く（図９（ｂ））。そしてこうしたプッシュ操作を繰り返すことで第２の開位置（図９（ｃ））、最大開位置（図９（ｄ））へと開閉蓋４６を開くことで、通気路の段階的な調整ができるようになっている。そして、最大開位置（図９（ｄ））から閉位置（図９（ａ））へと戻すときには爪部がバイパス路を通じるから、一度のプッシュ操作で開閉蓋４６を閉位置に戻すことができるようになっている。なお、図６〜図８でモデル的に示した伸縮機構を装置化して、通気装置の開閉蓋の調整機構として利用できることは勿論である。
　　　　【００４２】
　　【発明の効果】
　以上のように本発明の伸縮機構は、付勢手段による付勢を基本として伸縮路の道程形状とその道程形状に合わせて係止する係止部材とによるスライド機構となっているから、双方のスライダが付勢手段による付勢を受ければ係止部材の爪部が必ず係止部に係止することができる。したがって、係止動作が確実であるから信頼性が高く、また従来の『カム機構』のように回転するような動作要素がなく動作がシンプルであるから耐久性にも優れた伸縮機構とすることができる。
　　　　【００４３】
　また、双方のスライダをスライド伸縮させるために必要な操作はプッシュ操作かプル操作の何れかでありワンタッチで操作できるから、操作性にも優れている。しかも伸縮路に段部を形成しておけば、爪部が段部を通過する際に発する機械音を確認しつつ操作ができるので便利である。
　　　　【００４４】
　さらに伸縮路や爪部等の機構要素も構造がシンプルであるから、機構要素を構成する部材の成形が容易で、部品点数も少なくて済みコスト的にも有利である。
　　　　【００４５】
　また、本伸縮機構を通気装置の開閉蓋の進退機構として利用すれば、以上のように動作信頼性、耐久性、操作性に優れる等の利点をもつ通気装置とすることができる。
【図面の簡単な説明】
　　【図１】
　一実施形態による伸縮機構の内部機構を示す断面図。
　　【図２】
　図１の伸縮機構の伸び方向へのスライド過程を示す図。
　　【図３】
　分図（ａ）は図１の伸縮機構の伸縮路に形成した段部の側断面図、分図（ｂ）は段部の他の一例を示す側断面図。
　　【図４】
　伸縮路に形成したガイド手段の他の例を示す説明図。
　　【図５】
　図１の伸縮路の変形例を示す図。
　　【図６】
　可動スライダにプッシュ操作を加えてスライドさせる他の伸縮機構モデルの一例を示す模式図。
　　【図７】
　可動スライダにプル操作を加えてスライドさせる伸縮機構モデルの一例を示す模式図。
　　【図８】
　可動スライダにプル操作を加えてスライドさせる伸縮機構モデルの他の一例を示す模式図。
　　【図９】
　一実施形態による伸縮機構を通気装置に適用した例を示す説明図。
　　【符号の説明】
　１　　伸縮機構
　２　　可動スライダ（一方のスライダ）
　３　　固定スライダ（他方のスライダ）
　４　　コイルばね（付勢手段）
　５　　伸縮路
　６　　係止棒（係止部材）
　６ａ　爪部
　７　　係止部
　８　　バイパス路
　９　　係止解除路
１０　　スライド路
１１　　段部（ガイド手段）
１２，１４　突壁（ガイド手段）
４０　　通気装置
４１　　伸縮装置
４２　　固定スライダ（他方のスライダ）
４３　　装置本体
４５　　可動スライダ（一方のスライダ）
４６　　開閉蓋
　Ｘ　　伸び方向
　Ｙ　　縮み方向
　Ｏ　　開方向
　Ｃ　　閉方向